(57)【特許請求の範囲】
【請求項１】
有線回線または無線回線を介してホスト装置と通信することが可能な通信端末装置であって、
収入データと支出データとを入力可能な収入・支出データ入力手段と、入力された収入データと支出データとを演算し、収支結果を出力する演算手段と、前記演算手段における演算結果を表示する演算結果表示手段とを備えた収支データ管理手段と、
前記ホスト装置へ送信する第三者への支払い金額データを入力する入力手段と、前記支払い金額データを回線を介して前記ホスト装置へ送信するデータ送信手段とを備えたサーバ送信手段とを具備し、
前記ホスト装置へ送信した前記通信端末装置内に保持してある支払い金額データを当該支払い金額データの送信の直後に前記演算手段へ供給する支出データとすることを特徴とする通信端末装置。
【請求項２】
有線回線または無線回線を介してホスト装置と通信することが可能な通信端末装置に用いられるコンピュータに機能を実現させるためのプログラムを記憶したコンピュータ読み取り可能な記憶媒体であって、
前記コンピュータに、入力手段を介して入力された収入データと支出データとを演算し収支結果を出力する演算機能、前記演算機能における演算結果を表示する演算結果表示機能、前記入力手段を介して入力された第三者への支払い金額データを、回線を介して前記ホスト装置へ送信するデータ送信機能、前記ホスト装置へ送信した前記通信端末装置内に保持してある支払い金額データを当該支払い金額データの送信の直後に前記演算手段へ供給する支出データとする供給機能を実現させるためのプログラムを記憶したコンピュータ読み取り可能な記憶媒体。
【請求項３】
前記第三者への支払い金額データを前記ホスト装置へ送信して支払いを実行後、前記収支データ管理手段を起動して、当該第三者への支払い金額データを前記演算手段が演算する支出データとすることを特徴とする請求項１記載の通信端末装置。
【請求項４】
前記第三者へのデータ送信機能により前記支払い金額データを前記ホスト装置へ送信して支払いを実行後、当該第三者への支払い金額データを前記支出データとして演算し収支結果を出力する演算機能が実行されることを特徴とする請求項２記載の記憶媒体。
【発明の詳細な説明】
【０００１】
【発明の属する技術分野】
本発明は、携帯電話機やＰＨＳなどの移動通信システムやＰＳＴＮ（Public Switched Telephone Network）などの有線通信システムに用いられ、ネットワーク側からの着信を受けることが可能で、かつ収入データ／支出データを入力することによって収支計算を自動的に行うことができる小遣い帳機能を備えた通信端末装置に関する。
【０００２】
【従来の技術】
電子手帳のような携帯情報端末には様々なアプリケーション機能が備えられている。小遣い帳機能もその一つで、公知技術として特開平１０−１５４０６９号公報に記載されたものが知られている。
【０００３】
【発明が解決しようとする課題】
最近、インターネットを介して残高照会や銀行振込といった所謂モバイルバンキングを行うことができるサービスがあり、そのようなサービスを利用する際には通信端末装置に金額データなどを入力する必要があるが、小遣い帳機能と連動したものではなく、使い勝手が悪かった。
【０００４】
本願発明はこのような事情に鑑みてなされたもので、本来の電話としての機能を損なうことなく、総合的に使い勝手の良い小遣い帳機能を実現できる通信端末装置を提供することを目的とする。
【０００５】
【課題を解決するための手段】
本発明の通信端末装置は、有線回線または無線回線を介してホスト装置と通信することが可能な通信端末装置であって、収入データと支出データとを入力可能な収入・支出データ入力手段と、入力された収入データと支出データとを演算し、収支結果を出力する演算手段と、前記演算手段における演算結果を表示する演算結果表示手段とを備えた収支データ管理手段と、前記ホスト装置へ送信する第三者への支払い金額データを入力する入力手段と、前記支払い金額データを回線を介して前記ホスト装置へ送信するデータ送信手段とを備えたサーバ送信手段とを具備し、前記ホスト装置へ送信した前記通信端末装置内に保持してある支払い金額データを当該支払い金額データの送信の直後に前記演算手段へ供給する支出データとすることを特徴とする。
【０００８】
このような手段を備えたことによって、ホスト送信装置の入力手段で入力した金額データが収支データ管理装置の演算手段の入力である支出データとなることから、ユーザがホスト装置の入力手段で入力した金額データを、収支データ管理装置の収入・支出データ入力手段に入力する必要がなくなる。これにより、モバイルバンキングサービスを利用する際に入力したデータが小遣い帳にも反映されるので、使い勝手が向上する。
【０００９】
【発明の実施の形態】
以下、図面を参照して本発明を携帯電話機に適用した実施形態につき説明する。
【００１０】
図１は、本実施形態に係る携帯電話機の要部構成を示すブロック図である。
【００１１】
この図に示すように、本実施形態の携帯電話機は、アンテナ１、アンテナ共用器（ＤＵＰ）２、受信回路（ＲＸ）３、シンセサイザ回路（ＳＹＮ）４、Ａ／Ｄコンバータ５、モデム部６、チャネルコーデック７、スピーチコーデック８、Ｄ／Ａコンバータ９、受話アンプ１０、レシーバ１１、マイクロフォン１２、送話アンプ１３、Ａ／Ｄコンバータ１４、Ｄ／Ａコンバータ１５、送信回路（ＴＸ）１６、制御回路１７、ＬＣＤ表示器１８、キーユニット１９、アンプ２０、スピーカ２１、ＣＰＵ２２、ＲＯＭ２３、ＲＡＭ２４、電池２５および安定化電源回路２６を有している。
【００１２】
シンセサイザ回路４、モデム部６、チャネルコーデック７、スピーチコーデック８、制御回路１７、ＲＯＭ２３およびＲＡＭ２４は、制御バス２７を介してＣＰＵ２２に接続されている。
【００１３】
無線基地局から無線通話チャネルを介して送られた無線周波信号は、アンテナ１で受けられて電波−電気信号変換がなされたのち、アンテナ共用器２を介して受信回路３に入力される。
【００１４】
受信回路３にて無線周波信号は、まず増幅され、続いてシンセサイザ回路４から与えられるローカル信号を用いてミキシングダウンされてＩＦ周波信号に変換される。さらに、このＩＦ周波信号は受信回路３にて増幅され、ＱＰＳＫ信号となっているので直交復調される。
【００１５】
シンセサイザ回路４は、無線チャネル周波数に応じてＣＰＵ２２から指示される周波数のローカル信号を発生し、受信回路３および送信回路１６にこれを与える。
【００１６】
受信回路３にて直交復調された後のＩＦ周波信号は、Ａ／Ｄコンバータ５でデジタル化されたのちモデム部６に与えられる。
【００１７】
受信回路３から出力されたＩＦ周波信号は、モデム部６で遅延検波されると共に、フレーム同期確立およびカラーコードの検出が行われる。
【００１８】
モデム部６から出力されたＩＦ周波信号は、チャネルコーデック７でデインターリーブおよび誤り訂正復号が行われる。これによりＩＦ周波信号から自機宛てのデジタル通話信号が取出される。
【００１９】
チャネルコーデック７で取出されたデジタル通話信号は、スピーチコーデック８にて所定の復号化処理が行われて受話音声信号が再生される。
【００２０】
この受話音声信号は、Ｄ／Ａコンバータ９でアナログ化された後、受話アンプ１０で増幅されてレシーバ１１へと供給される。
【００２１】
一方、使用者が発声した音声は、マイクロフォン１２で送話音声信号に変換され、送話アンプ１３で増幅された後、Ａ／Ｄコンバータ１４によってデジタル化される。
【００２２】
デジタル化された送話音声信号は、スピーチコーデック８にて所定の符号化処理がなされ、デジタル通話信号となる。
【００２３】
デジタル通話信号はチャネルコーデック７で誤り訂正符号化処理およびインターリーブ処理が行われる。
【００２４】
デジタル通話信号はモデム部６にてフレーム信号の付加やカラーコードの付加が行われる。これにより信号のマッピング処理が施されて得られたＩＦ周波信号は、送信タイミングを設定してＤ／Ａコンバータ１５へと与えられる。
【００２５】
ＩＦ周波信号はＤ／Ａコンバータ１５にてアナログ化された送信回路１６へ供給される。
【００２６】
ＩＦ周波信号は、送信回路１６においてまず直交変調が行われ、さらにシンセサイザ回路４から与えられるローカル信号を用いてミキシングアップして所定の送信周波数の無線周波信号とされる。この無線周波信号は、送信回路５で増幅された後、アンテナ共用器２を介してアンテナ１に供給され、基地局へ向けて送出される。
【００２７】
制御回路１７は、ＣＰＵ２２の制御の下、ＬＣＤ表示器１８の駆動制御やキーユニット１９の出力信号の処理を行う。
【００２８】
ＬＣＤ表示器１８は、制御回路１７により駆動され、任意の画像や文字、数字を表示する。
【００２９】
キーユニット１９は、電話番号、発信、終話、文字やデータの入力、各種の機能設定や機能の実行を指示する入力を受け付けるものである。
【００３０】
図２はＬＣＤ表示器１８とキーユニット１９の実現例を示した図である。同図において、１９１は、本発明に係る小遣い帳機能の起動やＬＣＤ表示器１８に表示されるカーソルの移動を行うための方向キー、１９２は必要に応じて画面の切り替えを行うためのソフトキー、１９３は入力した内容を確定するための決定キー、１９４は電話番号などの数字を入力するための数字キーである。数字キー１９４は本発明に係る小遣い帳機能を実施する際、収入データ・支出データを入力するキーとなる。１９５は入力内容を取り消すためのキャンセルキーである。
【００３１】
図１に戻り、ＣＰＵ２２は、ＲＯＭ２３に格納されている動作プログラムに基づいて動作し、携帯電話機本来の機能を実現するための統括制御を行う。
【００３２】
ＲＯＭ２３は、フラッシュＲＯＭまたはＥＥＰＲＯＭを用いて構成されている。このＲＯＭ２３はＣＰＵ２２の動作プログラムの他に携帯電話機の固有の番号のような永続的に保持しておくべき種々の情報を記憶するために使用する。
【００３３】
ＲＡＭ２４は、携帯電話機の設定状態、デジタル処理された録音信号、ユーザが入力した文字やデータの情報の記憶など比較的短期的に保持しておくべき種々の情報を記憶する。このＲＡＭ２４はバックアップ電源によりある程度は長期に渡って記憶内容を保持しておくことが可能である。
【００３４】
電池２５は二次電池であって、携帯電話機の各部に供給する電力を発生する。安定化電源２６は、電池２５が出力する電力を安定化して各部に供給する。
【００３５】
ところで、ＣＰＵ２２がＲＯＭ２３に格納された動作プログラムに基づいて動作することにより実現される制御は、音声通話やデータ通信を可能にするための周知の制御に加えて、本発明の小遣い帳機能を実現するための制御を含む。ＣＰＵ２２がこの小遣い帳機能を実現する際は、ＬＣＤ表示器１８に対して動作プログラムに従った一連の表示を行わせるよう制御回路１７を制御する。
【００３６】
以下、以上のような構成を有した携帯電話機の動作に関していくつかの実施形態をあげて説明する。
【００３７】
（第１の実施形態）
本発明に係る通信端末装置は電話機能を持つことから、小遣い帳機能を起動している最中に着信がかかっても対応できるようになっている。そこでまず、小遣い帳機能の登録動作を図３に、特定の日付を指定してその日の収支金額を表示する動作を図５に、指定した期間の集計結果を表示する動作を図６にそれぞれ示し、小遣い帳機能を起動中に着信がかかった場合の動作を図７を参照して説明する。
【００３８】
図３は小遣い帳機能の収入・支出データ登録動作を説明するための図である。
この小遣い帳機能は、ユーザが方向キー１９１を操作することにより、ＲＯＭ２３に格納された小遣い帳動作プログラムが読み出され起動する。
【００３９】
図３において小遣い帳機能が起動すると、初期画面としてカレンダーが表示される。表示画面中のカーソルは当日の日付（図では３月１３日）に当たるようになっている（ステップ３ａ）。
【００４０】
次にユーザが「登録」を選択すると、ユーザに対して、食費や交通費などの「項目」を入力するか、「金額」を入力するかを問う画面が表示される（ステップ３ｂ）。
【００４１】
ユーザが「項目」を選択すると、「項目選択」の画面が表示される。ここでたとえばユーザが▲１▼の「食品」を選択し、「決定」キー１９３を押すと次の画面に移る（ステップ３ｃ）。
【００４２】
ステップ３ｃで項目が「食品」と決定すると、ユーザに対して「金額」を選択するよう促す（ステップ３ｄ）。
【００４３】
「金額」が選択されると、金額を入力できる画面に移行し、ユーザに対して金額の入力を促す（ステップ３ｅ）。
【００４４】
具体的な金額（図では１２００円）が数字キー１９４を用いて入力されると、その金額が表示される。（ステップ３ｆ）。
【００４５】
ステップ３ｆで、ユーザがソフトキー１９２を操作して「支出」を選択し、さらに決定キー１９３を押下すると、ステップ３ｈに移り、さらに決定キー１９３が押されると初期画面に戻る（ステップ３ｉ）。これで収入・支出データの登録動作は終了する。
【００４６】
数字キー１９４を操作して入力された収入・支出のデータは図４に示すような形式でＲＡＭ２４の中に記憶される。すなわち、「日付」、「項目」、「金額」、「収入または支出の別」の順にこれらが一組のレコードデータとして記憶される。したがって、特定の日付の収支表示も実現できる。図５は特定の日付を指定し、その日の収支を表示する動作を説明するための図である。
【００４７】
図５において、小遣い帳機能が起動されると、初期画面のカレンダーが表示される（ステップ５ａ）。ここでユーザが「一覧」に対応するソフトキー１９２を押下するとカーソルが当たっている３月１３日におけるすべての収入・支出データがＲＡＭ２４からＣＰＵ２２に読み出され、ＣＰＵ２２が演算し、制御回路１７を制御してＬＣＤ表示器１８に演算結果を表示させる（ステップ５ｂ、ステップ５ｃ）。ステップ５ｃで、ユーザが表示画面中の「戻る」に相当するソフトキー１９２を押すことにより画面は初期画面に戻る（ステップ５ｄ）。
【００４８】
さらに、指定した期間における収支の集計結果を表示することも可能である。図６は指定した期間（本図では３月２日から３月１３日まで）の集計結果を表示する動作を説明するための図である。
【００４９】
図６において、小遣い帳機能が起動すると、初期画面のカレンダーが表示される（ステップ６ａ）。ユーザが「集計」に対応するソフトキー１９２を押すと期日指定を促す画面が表示される（ステップ６ｂ）。ユーザが数字キー１９４を操作して期日を入力するとステップ６ｃに移る。ここでユーザが決定キー１９３を押すと、ＣＰＵ２２はＲＡＭ２４に記憶されたデータの日付情報をもとに指定された期間の収入・支出データをすべて読み出し、収支の演算を項目ごとに行う。ＣＰＵ２２は制御回路１７を制御してＬＣＤ表示器１８に演算結果を表示させる（ステップ６ｄ、ステップ６ｅ）。項目ごとの詳細な内訳を確認したい場合は、「詳細」に割り当てられたソフトキー１９２を押下することによって、ステップ６ｆに移り、項目の詳細内容が表示される。ユーザが「戻る」に割り当てられたソフトキー１９２を押すことにより元の初期画面に戻る（ステップ６ｇ）。
【００５０】
以上、図３、図５、図６に示したように本実施形態の携帯電話機は小遣い帳へのデータの登録、集計が可能であるが、この小遣い帳機能起動中に着信があった場合の動作を図７を参照して説明する。
【００５１】
図７においてステップ７ａからステップ７ｄまでは図３におけるステップ３ａからステップ３ｄまでと同じ動作であるので説明を省略する。
【００５２】
いまステップ７ｄに示す表示画面において、この携帯電話機が加入するネットワークから自機宛ての着呼信号が到来し、図１に示したアンテナ１、受信回路３、モデム部６、チャネルコーデック７を介してこれを受信すると、ＣＰＵ２２は着呼信号を受信した直前の表示画面（ステップ７ｄに示す画面）に表示される表示内容をＲＡＭ２４に記憶させるとともに、通常の着信処理制御を行う。ユーザが着信キーを操作し、ステップ７ｅで通話が開始されると、通話相手の名前が表示されるとともに、ステップ７ｆで通話時間が表示される。通話が終了し、ユーザが終話ボタンを押すと通算の通話時間が表示される（ステップ７ｇ）。終話ボタン押下に応答してＣＰＵ２２内部のカウンタが計時を始め、計時開始から５秒経過すると、ＣＰＵ２２はＲＡＭ２４に記憶しておいた表示内容（ステップ７ｄに示す表示画面の内容）をＬＣＤ表示器１８に表示させるよう制御回路１７を制御する。
【００５３】
このように本実施形態によれば、小遣い帳機能起動中に着信があっても、この着信を受け付けることができるとともに、通話が終了したら元の小遣い帳機能に自動的に復帰するので、携帯電話機が持つ本来の電話機能を維持しながら、小遣い帳機能をも実現することができる。
【００５４】
（第２の実施形態）
本発明に係る別の実施形態を説明する。図８は小遣い帳機能起動中に着信があり、この着信に応答して通話を行っている最中にユーザが何らかの機能設定を行った場合の動作を説明する図である。
【００５５】
図８において、ステップ８ａからステップ８ｄまでは先に説明した図３におけるステップ３ａからステップ３ｄまでと同じ動作であるので説明を省略する。
【００５６】
いまステップ８ｄに示す表示画面においてこの携帯電話機が加入するネットワークから着信があったとする。ユーザが所定のキー操作でこの着信を受けると、ＣＰＵ２２はＲＡＭ２４にこの表示内容を記憶させるとともに、通常の着信処理制御を行う。ステップ８ｅで通話が開始されると、通話先の名前が表示されるとともに、ステップ８ｆで通話時間が表示される。
【００５７】
ステップ８ｆで、ユーザが現在通話している相手からある電話番号を聞き、この電話番号を携帯電話機内部に備えられた周知のメモリダイアル機能のメモリに保存するためにメモリダイアル機能を設定するキー操作を行ったとする。ステップ８ｇでメモリダイアル機能が設定され、ユーザが通話相手から聞いた電話番号を入力した後、所定のキー操作でメモリダイアル機能の設定を解除しステップ８ｆに復帰する。
【００５８】
通話が終了し、ユーザが終話ボタンを押すとステップ８ｈで通算の通話時間が表示される。終話ボタン押下に応答してカウンタが計時を始め、計時開始から５秒経過すると待ち受け状態に移行する。ユーザが方向キー１９１を操作し、再び小遣い帳機能を起動すると、ステップ８ｉに示すように、ＣＰＵ２２はＬＣＤ表示器１８対して「登録途中のデータがあります。継続しますか？」なるメッセージを表示するよう制御回路１７を制御する。ステップ８ｉでユーザが「Ｙｅｓ」を選択すると、着信がかかる直前の画面であるステップ８ｄに復帰するようにＣＰＵ２２が制御回路１７を制御する。一方、ユーザが「Ｎｏ」を選択した場合は、初期画面（ステップ８ａ）に戻るように制御する。
【００５９】
本実施形態では、小遣い帳機能起動中に着信があり、この着信に応答して通話を行っている最中に何らかの機能設定を行った場合でも、着信直前の表示内容をＲＡＭ２４で記憶しているので、通話終了後に再度小遣い帳機能を起動させた場合、着信直前の画面からデータ入力ができる。したがって、ユーザは最初の画面からあらためて入力する必要がないため、使い勝手がよいものとなる。
【００６０】
（第３の実施形態）
ブラウザ機能を備えた携帯電話機を用い、インターネットを介して残高照会や銀行振込といった所謂モバイルバンキングを行うことができるサービスがある。本実施形態は、ブラウザ機能を備えた携帯電話機を用いてモバイルバンキングによる銀行振込みを行った場合、振込み金額を小遣い帳データに反映させることができる。
【００６１】
本実施形態に係る携帯電話機の構成は、基本的には図１に示す構成と同じであり、インターネットのホームページが閲覧可能なブラウザ機能を追加した点が相違している。図９にその動作を説明する。
【００６２】
図９において、ステップ９ａでユーザが所定のキーを操作することによりブラウザソフトを起動する。ブラウザソフトはＲＯＭ２３内部に保存されており、ＬＣＤ表示器１８を制御する制御回路１７はブラウザ表示モードとなり、ダウンロードした内容をＬＣＤ表示器１８で表示できるようにする。
【００６３】
ステップ９ｂで、起動したブラウザを用いてモバイルバンキングを行うためのURLをユーザが入力してホストと接続する。
【００６４】
ステップ９ｃで、希望するモバイルバンキングサービスを提供するホストと携帯電話機とがインターネットを介して接続されると、ユーザはホストから提供される表示画面で入力が必要なデータを、数字キー等を操作して入力する。銀行振込の場合の入力データは、振込先の口座番号（入金口座名）、振込元の口座番号（出金口座名）、振込み金額などである。ここでは例えば振り込み金額を１００００円とする。
【００６５】
ステップ９ｄで、ＲＡＭ２４がユーザによって入力された振込み金額のデータを記憶するとともに、ＣＰＵ２２はＲＡＭ２４の所定のアドレスにフラグを立てる。振り込みに必要なデータが入力され、振込み完了が確認されるとステップ９ｆでモバイルバンキング処理を終了し、ステップ９ｆでブラウザ終了処理が行われ、ステップ９ｇで待ち受け状態に移行する。
【００６６】
次にステップ９ｈでユーザが所定のキーを操作することにより小遣い帳機能が起動する。小遣い帳機能が起動すると、ＣＰＵ２２は前述したステップ９ｄでＲＡＭ２４の所定のアドレスに立てたフラグを見に行き、フラグが立っていれば、小遣い帳機能の初期画面（図３のステップ３ａを参照）に入る前に、モバイルバンキングデータを小遣い帳データに反映させるかどうかをユーザに問うメッセージをＬＣＤ表示器１８に表示させるよう制御回路１７を制御する。ユーザが「反映させる」を選択すると（ステップ９ｉのＹｅｓ）、ステップ９ｄにおいてＲＡＭ２２が記憶していた振込み金額データが自動的に表示画面に表示される（ステップ９ｊ）。図１０にその表示例を示す。図１０に示すように、振り込み金額の１００００円が支出データとして既に表示されている。
【００６７】
ステップ９ｉでＮｏが選択された場合は、記憶していたデータは破棄され、小遣い帳機能の初期画面に移行する。ステップ９ｋで食費や交通費等の項目入力がなされ（表示画面はステップ３ｂ、３ｄ参照）、一つの支出データの登録動作は完了する。
【００６８】
このように本実施形態では、インターネットを介した銀行振り込み用のデータをそのまま小遣い帳に登録するデータとして利用できるので、振り込み金額データをあらたに小遣い帳に入力する手間が省けることから、ユーザにとって使い勝手の良いものとなる。
【００６９】
なお、本実施形態においても、第１の実施形態および第２の実施形態と同様、小遣い帳機能を起動中に着信があっても着信終了後に着信直前の画面に復帰するようになることは言うまでもない。
【００７０】
以上本発明の実施形態を携帯電話機を例に挙げて説明したが無線電話に限定されることなく有線回線と結ばれた電話装置にも適用可能である。
【００７１】
【発明の効果】
以上詳述したように本発明の通信端末装置によれば、本来の電話としての機能を維持しつつ、使い勝手良く小遣い帳機能や小遣い帳機能に連動したモバイルバンキングサービスといった新たに付加された機能を実行できる。
【図面の簡単な説明】
【図１】本発明に係る携帯電話機の要部構成を示すブロック図。
【図２】本発明に係る携帯電話機に用いられるＬＣＤ表示器とキーユニットの例を示す図。
【図３】本発明に係る小遣い帳機能の登録動作を説明するための図。
【図４】ＲＡＭに記憶される収入・支出のデータ内容の形式を示す図。
【図５】特定の日付を指定してその日の収支金額を表示する動作を説明するための図。
【図６】指定した期間の集計結果を表示する動作を説明するための図。
【図７】小遣い帳機能を起動中に着信があった場合の動作を説明するための図。
【図８】小遣い帳機能を起動中に着信があり、この着信に応答して通話を行っている最中に何らかの機能設定を行った場合の実施形態を説明するための図。
【図９】ブラウザ機能を備えた携帯電話機を用いてモバイルバンキングによる銀行振込みを行った場合、振込み金額を小遣い帳データに反映させることができる実施形態を説明するための図。
【図１０】振込み金額データが、小遣い帳に登録されている表示例を示す図。
【符号の説明】
１・・・アンテナ、
２・・・アンテナ共用器（ＤＵＰ）、
３・・・受信回路（ＲＸ）、
４・・・シンセサイザ回路（ＳＹＮ）、
５・・・Ａ／Ｄコンバータ、
６・・・モデム部、
７・・・チャネルコーデック、
８・・・スピーチコーデック、
９・・・Ｄ／Ａコンバータ、
１０・・・受話アンプ、
１１・・・レシーバ、
１２・・・マイクロフォン、
１３・・・送話アンプ、
１４・・・Ａ／Ｄコンバータ、
１５・・・Ｄ／Ａコンバータ、
１６・・・送信回路（ＴＸ）、
１７・・・制御回路、
１８・・・ＬＣＤ表示器、
１９・・・キーユニット、
２０・・・アンプ、
２１・・・スピーカ、
２２・・・ＣＰＵ、
２３・・・ＲＯＭ、
２４・・・ＲＡＭ、
２５・・・電池、
２６・・・安定化電源回路
【図１】
0004892772.tif 000002
【図２】
0004892772.tif 000003
【図３】
0004892772.tif 000004
【図４】
0004892772.tif 000005
【図５】
0004892772.tif 000006
【図６】
0004892772.tif 000007
【図７】
0004892772.tif 000008
【図８】
0004892772.tif 000009
【図９】
0004892772.tif 000010
【図１０】
0004892772.tif 000011